(57)【要約】【課題】  携帯端末より送信されたメールデータを印刷装置によって印刷する際に、送信者のメールアドレスに基づいて文字列や画像を付加し、また書式を設定して印刷することにより、ユーザーのデータ把握を容易とした印刷装置及び印刷制御システムを提供することを目的とする。【解決手段】  携帯電話１６に格納したデータ作成プログラム７１によって、各メールデータを印刷する際に送信者メールアドレスが特定のアドレスであった場合に文字列や画像を付加する付加データの作成を行う（Ｓ６６）付加データと、送信者メールアドレスが特定のアドレスであった場合に各印刷項目の書式を設定する書式設定データとを作成し（Ｓ６８）、一方、携帯用小型プリンタ装置１は、前記作成された付加データ及び書式設定データに基づいて文字列、画像を付加するとともに（Ｓ５２、Ｓ５４）、書式を変更して（Ｓ５６）印刷を行う（Ｓ１１）ように構成する。【選択図】  図１７ 
2005227810.tif 000002
【特許請求の範囲】
【請求項１】
外部から送信された印刷データを受信する受信手段と、前記受信手段により受信された印刷データに基づいて、用紙に印刷を行う印刷手段とを有する印刷装置において、
印刷データの一部を構成する特定データに関連付けられた付加データを記憶する第１記憶手段と、
前記特定データが、前記受信手段により受信された印刷データに含まれるか否かを判断する第１判断手段と、
前記第１判断手段より含まれると判断された場合に、前記印刷データに前記付加データを付加するデータ付加手段と、
前記データ付加手段に基づいて前記印刷手段を制御する印刷制御手段とを有することを特徴とする印刷装置。
【請求項２】
外部から送信された印刷データを受信する受信手段と、前記受信手段により受信された印刷データに基づいて、用紙に印刷を行う印刷手段とを有する印刷装置において、
印刷データの一部を構成する特定データに関連付けられた書式設定データを記憶する第２記憶手段と、
前記特定データが、前記受信手段により受信された印刷データに含まれるか否かを判断する第２判断手段と、
前記第２判断手段より含まれると判断された場合に、前記印刷データの印刷書式を前記書式設定データに基づいて設定する書式設定手段と、
前記書式設定手段に基づいて前記印刷手段を制御する印刷制御手段とを有することを特徴とする印刷装置。
【請求項３】
前記印刷データはメールデータであり、
前記特定データは、送信者のメールアドレスの全部、若しくは一部であることを特徴とする請求項１又は請求項２に記載の印刷装置。
【請求項４】
印刷データを送信する第１送信手段を有する携帯端末と、
前記携帯端末から送信された印刷データを受信する第１受信手段と、受信した印刷データに基づいて印刷を行う印刷手段とを有する印刷装置と、
から構成された印刷制御システムにおいて、
前記携帯端末は、
印刷データの一部を構成する特定データに関連付けられた付加データを作成する付加データ作成手段と、
前記付加データを前記印刷装置に送信する第２送信手段と、
を有し、
前記印刷装置は、
前記第２送信手段により送信された前記付加データを受信する第２受信手段と、
前記第２受信手段により受信された前記付加データを記憶する第１記憶手段と、
前記付加データに関連付けられた特定データが、前記第１受信手段により受信された前記印刷データに含まれるか否かを判断する第１判断手段と、
前記第１判断手段により含まれると判断された場合に、前記付加データを前記印刷データに付加するデータ付加手段と、
前記データ付加手段に基づいて前記印刷手段を制御する印刷制御手段と、
を有することを特徴とする印刷制御システム。
【請求項５】
印刷データを送信する第１送信手段を有する携帯端末と、
前記携帯端末から送信された印刷データを受信する第１受信手段と、受信した印刷データに基づいて印刷を行う印刷手段とを有する印刷装置と、
から構成された印刷制御システムにおいて、
前記携帯端末は、
印刷データの一部を構成する特定データに関連付けられた書式設定データを作成する書式設定データ作成手段と、
前記書式設定データを前記印刷装置に送信する第３送信手段と、
を有し、
前記印刷装置は、
前記第３送信手段により送信された前記書式設定データを受信する第３受信手段と、
前記第３受信手段により受信された前記付加データを記憶する第２記憶手段と、
前記書式設定データに関連付けられた特定データが、前記第１受信手段により受信された前記印刷データに含まれるか否かを判断する第２判断手段と、
前記第２判断手段により含まれると判断された場合に、前記書式設定データに基づいて前記印刷データの書式を設定する書式設定手段と、
前記書式設定手段に基づいて前記印刷手段を制御する印刷制御手段と、
を有することを特徴とする印刷制御システム。
【請求項６】
前記携帯端末は、インターネット回線を介してウェブサーバに接続する通信手段を有し、
前記付加データ作成手段は、ウェブサーバ上において前記付加データを作成するとともに、前記通信手段を介して前記携帯端末にダウンロードすることを特徴とする請求項４に記載の印刷制御システム。
【請求項７】
前記携帯端末は、インターネット回線を介してウェブサーバに接続する通信手段を有し、
前記書式設定データ作成手段は、ウェブサーバ上において前記書式設定データを作成するとともに、前記通信手段を介して前記携帯端末にダウンロードすることを特徴とする請求項５に記載の印刷制御システム。
【請求項８】
前記印刷データはメールデータであり、
前記特定データは、送信者のメールアドレスの全部、若しくは一部であることを特徴とする請求項４乃至請求項７のいずれかに記載の印刷制御システム。
【請求項９】
前記付加データは文字データから構成されることを特徴とする請求項１乃至請求項８のいずれかに記載の印刷装置及び印刷制御システム。
【請求項１０】
前記付加データはイメージデータであることを特徴とする請求項１乃至請求項８のいずれかに記載の印刷装置及び印刷制御システム。
【発明の詳細な説明】
【技術分野】
【０００１】
本発明は、携帯端末より送信された印刷データを受信し、印刷を行う印刷装置及び印刷制御システムに関して、特に特定データが受信された印刷データに含まれる場合に、付加データを印刷データに付加して印刷することにより、ユーザーによる情報の識別を容易とする印刷装置及び印刷制御システムに関するものである。
【背景技術】
【０００２】
近年、インターネットに接続する機能のみならず、インターネットよりデータをダウンロードし、また、アドレス帳やスケジュール帳などの様々なデータを登録し、記憶可能な携帯電話、ＰＤＡ等の携帯端末が一般的に使用されている。そして、携帯端末によって受信され、又は登録された画像データや電子メール等の各データについて、その内容の印刷を別途希望する際には、各データをプリンタ等の印刷装置に対して送信し、そのデータ内容の印刷を行っていた。例えば、特開２００３−２４１９１１号公報には、携帯電話で受信した画像データ、電子メール、及びＨＴＭＬデータを携帯電話に設けられたデータ送信装置によりプリンタに対し送信し、プリンタは送信された画像データや電子メール等のデータを１ページずつ印刷可能な印刷データに変換し、印刷を行う携帯電話のデータ印刷システムが記載されている。
【特許文献１】特開２００３−２４１９１１号公報（第４−６頁、第１図）
【発明の開示】
【発明が解決しようとする課題】
【０００３】
しかしながら、前記した特許文献１に記載された携帯電話のデータ印刷システムのように、電子メール等の携帯電話内に記憶されたデータをプリンタに対し送信し、当該データの内容を印刷するに際しては、データを印刷する印刷形式について別途設定する手段は設けられていなかった。即ち、携帯電話に記憶された電子メールのデータが印刷される際においては、どのメールに関しても同じ大きさの文字、且つ同じ書体により、すべて一様な印刷形式によって印刷されていた。従って、印刷結果を見ても、どこから送信されたメールであるか、また、どのような内容のメールであるかを瞬時に判別することは難しく、記載内容を詳細に読み取る必要があった。
本発明は、前記従来における問題点を解消するためになされたものであり、携帯端末に受信されたデータを別途印刷装置により印刷する際に、印刷された付加データ及び印刷書式を目安とすることによってユーザーによるデータの識別が迅速に可能となり、そのデータ内容の把握も容易となる印刷装置及び印刷制御システムを提供することを目的とする。
【課題を解決するための手段】
【０００４】
前記目的を達成するため請求項１に係る印刷装置は、外部から送信された印刷データを受信する受信手段と、前記受信手段により受信された印刷データに基づいて、用紙に印刷を行う印刷手段とを有する印刷装置において、印刷データの一部を構成する特定データに関連付けられた付加データを記憶する第１記憶手段と、前記特定データが、前記受信手段により受信された印刷データに含まれるか否かを判断する第１判断手段と、前記第１判断手段より含まれると判断された場合に、前記印刷データに前記付加データを付加するデータ付加手段と、前記データ付加手段に基づいて前記印刷手段を制御する印刷制御手段とを有することを特徴とする。
【０００５】
前記目的を達成するため請求項２に係る印刷装置は、外部から送信された印刷データを受信する受信手段と、前記受信手段により受信された印刷データに基づいて、用紙に印刷を行う印刷手段とを有する印刷装置において、印刷データの一部を構成する特定データに関連付けられた書式設定データを記憶する第２記憶手段と、前記特定データが、前記受信手段により受信された印刷データに含まれるか否かを判断する第２判断手段と、前記第２判断手段より含まれると判断された場合に、前記印刷データの印刷書式を前記書式設定データに基づいて設定する書式設定手段と、前記書式設定手段に基づいて前記印刷手段を制御する印刷制御手段とを有することを特徴とする。
【０００６】
また、請求項３に係る印刷装置は、請求項１又は請求項２に記載の印刷装置において、前記印刷データはメールデータであり、前記特定データは、送信者のメールアドレスの全部、若しくは一部であることを特徴とする。
【０００７】
また、請求項４に係る印刷制御システムは、印刷データを送信する第１送信手段を有する携帯端末と、前記携帯端末から送信された印刷データを受信する第１受信手段と、受信した印刷データに基づいて印刷を行う印刷手段とを有する印刷装置とから構成された印刷制御システムにおいて、前記携帯端末は、印刷データの一部を構成する特定データに関連付けられた付加データを作成する付加データ作成手段と、前記付加データを前記印刷装置に送信する第２送信手段とを有し、前記印刷装置は、前記第２送信手段により送信された前記付加データを受信する第２受信手段と、前記第２受信手段により受信された前記付加データを記憶する第１記憶手段と、前記付加データに関連付けられた特定データが、前記第１受信手段により受信された前記印刷データに含まれるか否かを判断する第１判断手段と、前記第１判断手段により含まれると判断された場合に、前記付加データを前記印刷データに付加するデータ付加手段と、前記データ付加手段に基づいて前記印刷手段を制御する印刷制御手段とを有することを特徴とする。
【０００８】
また、請求項５に係る印刷制御システムは、印刷データを送信する第１送信手段を有する携帯端末と、前記携帯端末から送信された印刷データを受信する第１受信手段と、受信した印刷データに基づいて印刷を行う印刷手段とを有する印刷装置とから構成された印刷制御システムにおいて、前記携帯端末は、印刷データの一部を構成する特定データに関連付けられた書式設定データを作成する書式設定データ作成手段と、前記書式設定データを前記印刷装置に送信する第３送信手段とを有し、前記印刷装置は、前記第３送信手段により送信された前記書式設定データを受信する第３受信手段と、前記第３受信手段により受信された前記付加データを記憶する第２記憶手段と、前記書式設定データに関連付けられた特定データが、前記第１受信手段により受信された前記印刷データに含まれるか否かを判断する第２判断手段と、前記第２判断手段により含まれると判断された場合に、前記書式設定データに基づいて前記印刷データの書式を設定する書式設定手段と、前記書式設定手段に基づいて前記印刷手段を制御する印刷制御手段とを有することを特徴とする。
【０００９】
また、請求項６に係る印刷制御システムは、請求項４に記載の印刷制御システムにおいて、前記携帯端末は、インターネット回線を介してウェブサーバに接続する通信手段を有し、前記付加データ作成手段は、ウェブサーバ上において前記付加データを作成するとともに、前記通信手段を介して前記携帯端末にダウンロードすることを特徴とする。
【００１０】
また、請求項７に係る印刷制御システムは、請求項５に記載の印刷制御システムにおいて、前記携帯端末は、インターネット回線を介してウェブサーバに接続する通信手段を有し、前記書式設定データ作成手段は、ウェブサーバ上において前記書式設定データを作成するとともに、前記通信手段を介して前記携帯端末にダウンロードすることを特徴とする。
【００１１】
また、請求項８に係る印刷制御システムは、請求項４乃至請求項７のいずれかに記載の印刷制御システムにおいて、前記印刷データはメールデータであり、前記特定データは、送信者のメールアドレスの全部、若しくは一部であることを特徴とする。
【００１２】
また、請求項９に係る印刷装置及び印刷制御システムは、請求項１乃至請求項８のいずれかに記載の印刷装置及び印刷制御システムにおいて、前記付加データは文字データから構成されることを特徴とする。
【００１３】
更に、請求項１０に係る印刷装置及び印刷制御システムは、請求項１乃至請求項８のいずれかに記載の印刷装置及び印刷制御システムにおいて、前記付加データはイメージデータであることを特徴とする。
【発明の効果】
【００１４】
請求項１に係る印刷装置では、印刷データの一部を構成する特定データに関連付けられた付加データを記憶する第１記憶手段を有し、特定データが受信手段により受信された印刷データに含まれると判断された場合に、印刷データに付加データを付加するとともに用紙に対して印刷を行うので、印刷された付加データを目安とすることにより、印刷データの中に特定データが含まれているか否かを容易に判断することが可能である。従って、印刷結果を参照する際に、ユーザーはデータの識別が容易に可能となり、またデータ内容の把握も容易に行うことができる。
【００１５】
また、請求項２に係る印刷装置では、印刷データの一部を構成する特定データに関連付けられた書式設定データを記憶する第２記憶手段を有し、特定データが受信手段により受信された印刷データに含まれると判断された場合に、印刷データの印刷書式を書式設定データに基づいて設定するとともに用紙に対して印刷を行うので、印刷された書式を目安とすることにより印刷データの中に特定データが含まれているか否かを容易に判断することが可能である。従って、印刷結果を参照する際に、ユーザーはデータの識別が容易に可能となり、またデータ内容の把握も容易に行うことができる。
【００１６】
また、請求項３に係る印刷装置では、印刷データはメールデータであり、且つ特定データは、送信者のメールアドレスの全部、若しくは一部であるので、メールデータを印刷する際に、メールの送信者に基づいて付加データを付加して印刷すること、及び印刷書式を設定して印刷する事が可能である。従って、印刷された付加データ及び印刷された書式を目安にすることにより、印刷されたメールが誰から送信されたメールであるかを容易に判断することが可能である。
【００１７】
また、請求項４に係る印刷制御システムでは、携帯端末は、印刷データの一部を構成する特定データに関連付けられた付加データを作成するとともに印刷装置に対して送信し、一方、印刷装置は、受信した付加データに関連付けられた特定データが、受信された印刷データに含まれると判断した場合に付加データを印刷データに付加して印刷を行うので、ユーザーが携帯端末により作成した付加データの印刷結果を目安とすることによって、印刷データの中に特定データが含まれているか否かを容易に判断することが可能である。従って、印刷結果を参照する際に、ユーザーはデータの識別が容易に可能となり、またデータ内容の把握も容易に行うことができる。更に、ユーザーは携帯端末を使用することにより、自ら希望する設定に基づいた付加データを作成することが可能である。
【００１８】
また、請求項５に係る印刷制御システムでは、携帯端末は、印刷データの一部を構成する特定データに関連付けられた書式設定データを作成するとともに印刷装置に対して送信し、一方、印刷装置は、受信した書式設定データに関連付けられた特定データが、受信された印刷データに含まれると判断した場合に書式設定データに基づいて書式を設定して印刷を行うので、印刷された印刷書式を目安とすることにより、印刷データの中に特定データが含まれているか否かを印刷結果から容易に判断することが可能である。従って、印刷結果を参照する際に、ユーザーはデータの識別が容易に可能となり、またデータ内容の把握も容易に行うことができる。更に、ユーザーは携帯端末を使用することにより、自ら希望する設定に基づいた書式設定データを作成することが可能である。
【００１９】
また、請求項６に係る印刷制御システムでは、前記携帯端末はインターネット回線を介してウェブサーバに接続する通信手段を有し、ウェブサーバ上において付加データを作成するとともに、通信手段を介して携帯端末にダウンロードするので、ユーザーはウェブサーバ上で自ら希望する設定による付加データを作成することが可能である。そして、印刷された付加データを目安とすることにより、印刷データの中に特定データが含まれているか否かを印刷結果から容易に判断することが可能である。
【００２０】
また、請求項７に係る印刷制御システムでは、前記携帯端末はインターネット回線を介してウェブサーバに接続する通信手段を有し、ウェブサーバ上において書式設定データを作成するとともに、通信手段を介して携帯端末にダウンロードするので、ユーザーはウェブサーバ上で自ら希望する印刷書式による書式設定データを作成することが可能である。そして、印刷された書式を目安とすることにより、データの識別を容易に行うことが可能である。
【００２１】
また、請求項８に係る印刷制御システムでは、印刷データはメールデータであり、且つ特定データは、送信者のメールアドレスの全部、若しくは一部であるので、ユーザーはウェブサーバ上において付加データ及び書式設定データを作成可能であるとともに、メールデータを印刷する際に、メールの送信者に基づいて付加データを付加して印刷すること、及び印刷書式を設定して印刷する事が可能である。従って、印刷された付加データ及び印刷された書式を目安にすることにより、印刷されたメールが誰から送信されたメールであるかを容易に判断することが可能である。
【００２２】
また、請求項９に係る印刷装置及び印刷制御システムでは、付加データは文字データから構成されているので、印刷データを用紙に対して印刷する際に、文字列を追加して印刷することが可能である。従って、印刷された文字列を目安とすることにより、ユーザーはデータの識別が容易に可能となり、またデータ内容の把握も容易に行うことができる。
【００２３】
また、請求項１０に係る印刷装置及び印刷制御システムでは、付加データはイメージデータであるので、印刷データを用紙に対して印刷する際に、イメージを追加して印刷することが可能である。従って、印刷されたイメージを目安とすることにより、ユーザーはデータの識別が容易に可能となり、またデータ内容の把握も容易に行うことができる。
【発明を実施するための最良の形態】
【００２４】
以下に、本発明に係る印刷装置及び印刷制御システムについて具体化した実施の形態について図面を参照しながら説明する。ここで、本発明に係る印刷制御システムは、携帯端末等の外部機器により送信されたデータに基づいて、当該データの内容を印刷装置により印刷を行うものである（図７参照）。
先ず、本発明に係る印刷装置について具現化した携帯用小型プリンタ装置１の概略構造について、図１及び図２を参照しながら説明する。図１は本実施形態に係る携帯用小型プリンタ装置の斜視図、図２は本実施形態に係る携帯用小型プリンタ装置の側面図である。
携帯用小型プリンタ装置１は平面視Ａ６サイズ又はＡ７サイズ程度の大きさで厚みが略２ｃｍ程度あるいはそれ以下の上面開放箱型の本体ケース２を有し、その上面の片側には固定カバー体３を有する。この固定カバー体３の箇所を除く本体ケース２内には感熱紙からなるカットシート状の被記録媒体としての用紙４を複数枚収納した用紙カセット５（図３参照）が収容できる用紙収容部６が形成されている。前記固定カバー体３の下面側の近傍には、印刷機構部７としてのサーマルヘッド８、プラテンローラ９、ペーパーガイド１０及び用紙分離部としてのピックアップローラ１１及び分離ブロック１２等が配置されている。そして、前記用紙収容部６は、本体ケース２の側にて回動及びスライド可能な開閉支持手段１３を介して開閉可能に支持された蓋体１４によって覆われている（図２参照）。
【００２５】
また本体ケース２の側面には、後述する携帯電話１６等の赤外線発信装置を備える携帯端末から赤外線により発信されたデータを受信する赤外線通信部１７と、携帯端末、パソコン等とＵＳＢケーブル（図示せず）により接続され、ＵＳＢケーブルを通して送信されたデータを受信するＵＳＢ端子１８とが設けられている。そして、更に本体の電源をＯＮ、ＯＦＦする電源キー１９が同じく側面に設けられている。
更に、固定カバー体３が設けられた側には携帯用小型プリンタ装置１を立てた状態で支持する支持台（図示せず）を取り付ける為の取付溝２０が「コ」の字型に形成されている。更に、取付溝２０上には固定カバー体３内に設置されたサーマルヘッド８や駆動モータ２１を冷却するための複数個の空気孔２２と、図示外のストラップや盗難防止用ワイヤ等を取り付けるための繋止孔２３が形成されている。
【００２６】
前記サーマルヘッド８はラインヘッド型であり、プラテンローラ９との間に挟まれて搬送される感熱型の用紙４の搬送方向に直交する方向に延びるライン毎に文字や画像等を印刷することができる。１ライン印刷する際の印刷幅は用紙４の直交方向の用紙幅に略等しく設定されている。サーマルヘッド８及びプラテンローラ９は、Ａ６サイズ又はＡ７サイズ程度の用紙４の短辺方向の長さを有している。サーマルヘッド８を印刷ヘッドとして用いるのは、被記録媒体として感熱紙を用いることにより、インクやインクリボンの消耗品が不要であり、且つそのための機構を省略でき、携帯用小型プリンタ装置１をコンパクトにできるからである。
【００２７】
感熱紙としては、サーマルヘッド８の加熱により発色する発色層を有する感熱発色タイプのものや、加熱により穿孔される穿孔層を基材層上に積層した感熱穿孔タイプのもの等、種々のものを使用できる。図３は本実施形態において使用される用紙カセットの斜視図である。
【００２８】
次に本実施形態に係る携帯用小型プリンタ装１の内部構造について、図４及び図５を用いて説明する。図４は本実施形態に係る携帯用小型プリンタ装置の内部構造を示す正面図、図５は図４の線Ａ−Ａで携帯用小型プリンタ装置を切断した矢視断面図である。
携帯用小型プリンタ装置１の内部構造において、用紙収容部６のうち、前記印刷機構部７に近い側には、ピックアップローラ１１と分離ブロック１２とが配置されている（図５参照）。前記用紙収容部６内に収容された用紙カセット５は、前記閉止した蓋体１３の本体内面側に設けた板バネ等の付勢手段２５を介して用紙収容部６の底板２６に向けて付勢される。用紙カセット５における積層した用紙４のうち、用紙カセット５外に露出した用紙４（最下層の用紙）がピックアップローラ１１の上面に当接付勢される。このピックアップローラ１１の回転駆動と分離ブロック１２の案内係止面２７との協働により、前記最下層の用紙４のみが分離ブロック１２の下端とガイド板２８との隙間を通過する。分離ブロック１２に隣接してプラテンローラ９が回転可能に設けられ、その外周面に押圧コイルバネ等の付勢手段２９によりペーパーガイド１０が付勢されている。
【００２９】
そして、携帯電話１６等の外部装置から赤外線通信部１７やＵＳＢ端子１８を介して印刷指令及び印刷データを携帯用小型プリンタ装置１に送ると、ピックアップローラ１１と案内係止面２７により、用紙カセット５から１枚だけ分離搬送された用紙４はプラテンローラ９とペーパーガイド１０との間に搬送される。ペーパーガイド１０は、その断面がプラテンローラ９の外周面に沿うように断面横向き略Ｕ字状等の凹湾曲状の摺接面３０に形成されている。また、ペーパーガイド１０のサーマルヘッド８側の上面にはガイドフィルム３１が隣接して備え付けられている。ガイドフィルム３１はポリエステルにより、薄型フィルム状に形成され、その先端部３１Ａによって用紙４をプラテンローラ９の周面に押圧することで、ペーパーガイド１０とプラテンローラ９の間で生じる用紙４のプラテンローラ９に対する浮きを防止している。また、用紙４が搬送されていない状態ではガイドフィルム２１はサーマルヘッド８の印刷位置のすぐ下にてプラテンローラ９に対して用紙搬送方向より鋭角に接する。
【００３０】
前記ペーパーガイド１０と、ガイドフィルム２１と、その上方に回動可能に配置されたプラテンローラ９とにより、用紙収容部６から分離搬送された用紙４は横向きＵ字状に反転させて搬送され、プラテンローラ９の印刷位置まで搬送される。その後、サーマルヘッド８により用紙４の上面に印刷され、前記分離ブロック１２の上面と前記固定カバー体３の端縁との隙間にある排紙口３４から蓋体１４の外側に排紙される。サーマルヘッド８はその背面（上面側）にコイルスプリング（付勢手段）３５のばね掛け部が係止され、プラテンローラ９側に付勢され、サーマルヘッド８の印刷部（発熱体部８Ａ（図５参照））がプラテンローラ９の上面に当接する。
【００３１】
前記プラテンローラ９及びピックアップローラ１１の駆動機構は、本体ケース２の長辺に沿う一方の内側面に配置された駆動モータ２１と歯車伝動機構（ギヤ列）３７とからなる。プラテンローラ９の直径がピックアップローラ１１の直径より大きく、プラテンローラ９の箇所の用紙搬送速度をピックアップローラ１１箇所での用紙搬送速度より大きく設定してピックアップローラ１１と分離ブロック１２との箇所での用紙分離をゆっくり行いプラテンローラ９による用紙搬送、ひいては印刷速度を高速化している。そのために、プラテンローラ９箇所での高速搬送に対してピックアップローラ１１が連れ回り可能とするワンウエイクラッチ（図示せず）をギヤ列のプラテンローラ９より下流側に設けている。
【００３２】
次に、上記のように構成された携帯用小型プリンタ装置１の制御系について説明する。図６は本実施形態に係る携帯用小型プリンタ装置１の制御ブロック図である。図６に示すように、携帯用小型プリンタ装置１では、ＣＰＵ４１に対し、ＲＯＭ４２、ＳＲＡＭ４３、電源ＳＷ回路４４、モータ駆動回路４５、サーマルヘッド制御回路４６、ＵＳＢ  Ｉ／Ｆ駆動回路４７、ＩｒＤＡ変復調回路４８、充電式電池４９が接続されている。さらに、モータ駆動回路４５には、駆動モータ２１が、サーマルヘッド制御回路４６には、サーマルヘッド８が夫々接続されている。
【００３３】
ＲＯＭ４２には、ＣＰＵ４１が実行する各種プログラムが記憶されている。また、印刷対象となる多数の文字のドットパターンデータがコードデータと対応付けて記憶されている。一方、ＳＲＡＭ４３は、ＣＰＵ４１のデータ処理に必要な一時的なデータの記憶を行うものである。ＳＲＡＭ４３には、入力されたデータを記憶するデータバッファ５０、ページ単位に印字形式と印字情報を編集して格納するテキストバッファ５１、印刷用データを記憶するプリントバッファ５２の各記憶領域、及び後述する携帯電話１６より送信されるデータに基づいて各印刷設定が記憶される印刷設定テーブル５３が設けられている。
【００３４】
ここで、モータ駆動回路４５は、駆動モータ２２（図４及び図５参照）を制御するものであり、ヘッド制御回路４６は、サーマルヘッド８の発熱体部制御をするものである。また、電源ＳＷ回路４４は、電源キー１９に接続され、携帯用小型プリンタ装置１の電源のＯＮ／ＯＦＦを行う回路である。
【００３５】
更に、ＣＰＵ４１には携帯電話１６、パソコン等の外部機器４０とＵＳＢ規格に基づいた通信を行うためのインターフェース回路であるＵＳＢ  Ｉ／Ｆ駆動回路４７が接続され、この回路からＵＳＢ端子１８に接続されている。また、ＣＰＵ４１は、携帯電話１６、ＰＤＡ等の赤外線データ出力装置を持つ外部機器４０とＩｒＤＡ規格に基づいた通信を行うためのインターフェース回路であるＩｒＤＡ変復調回路４８に接続されている。更にＩｒＤＡ変復調回路４８は赤外線通信部１７内に設けられたＩｒＤＡ受発光素子５４に接続され、携帯用小型プリンタ装置１は赤外線通信を行うことができる。
ここで、ＩｒＤＡとは、赤外線通信の規格であり、主に机上型コンピュータとノートパソコン等の携帯型コンピュータを接続するのに使われているものである。
【００３６】
また、携帯用小型プリンタ装置１の内部電源である充電式電池４９から供給された電力は、ＣＰＵ４１、モータ駆動回路４５、サーマルヘッド制御回路４６とに供給される。ＣＰＵ４１と接続されたモータ駆動回路４５は、ＣＰＵ４１からの指令に基づいて駆動モータ２１を動作させ、用紙４の搬送を担う。また、サーマルヘッド制御回路４６も同様にＣＰＵ４１に接続され、ＣＰＵ４１の指令に基づいてサーマルヘッド８を駆動し、感熱式の印刷を行わせる。
【００３７】
次に前記した携帯用小型プリンタ装置１、及び携帯電話１６を用いることにより構成された印刷制御システムについて図７及び図８を用いて説明する。図７は本実施形態に係る印刷制御システムの実施例を示す模式図である。図８は本実施形態に係る印刷制御システムのブロック図である。印刷制御システムは、図７及び図８に示すように、携帯電話１６と、携帯用小型プリンタ装置１とから基本的に構成されている。そして、携帯電話１６は、携帯用小型プリンタ装置１に対して印刷データと、印刷データに画像や文字列を付加する付加データと、印刷データの書式を設定する書式設定データとを送信し、一方、携帯用小型プリンタ装置１は送信された各データに基づいて印刷データの内容に画像や文字列を追加し、また設定した書式によって印刷を行い、ユーザー５５に提供するものである（図１７参照）。
また、図８に示すように、本実施形態に係る印刷制御システムにおいては、携帯用小型プリンタ装置１に送信する付加データ及び書式設定データを作成する為のソフトウェアを携帯電話１６に対して供給するウェブサーバ５６を有する。
【００３８】
携帯電話１６は、近年普及している所謂音声の送受信、及び、電子メールに画像データ等のデータを添付して送受信可能な電子メール機能、及びインターネット接続機能を有し、サーバ等から特定のソフトウェアをダウンロードして使用できるものである。
ここで携帯電話１６は、インターネット接続機能を有する通信装置５７と、各種プログラムを実行するＣＰＵ５８と、ダウンロードしたプログラム等を記憶するメモリ５９と、各種情報をユーザー５５に対して表示する液晶画面６０と、入力操作を行う操作部６１と、各データを携帯用小型プリンタ装置１等の外部装置に対して赤外線によって発信する赤外線通信部６２とから構成されている。尚、メモリ５９は、書き換え可能な不揮発性メモリであり、フラッシュメモリから構成されている。
【００３９】
通信装置５７は、ｉモード（登録商標）等の双方向通信可能なインターネット接続機能を有し、電子メールを送受信すること、特定のサーバに接続し、画像データや音楽データをダウンロードすること、及びアプリケーションソフトをダウンロードし、ｉアプリ（登録商標）等のアプリケーション実行プログラムによりアプリケーションを実行することが可能である。
【００４０】
また、液晶画面６０には携帯電話１６で受信した文字及び画像などが表示されるとともに、操作部６１にて入力した番号及び文字などが表示される。
【００４１】
メモリ５９には、前記通信装置５７により受信した電子メール、及びダウンロードした画像データ、受信音、プログラム等が記憶される他、操作部６１により入力した氏名、メールアドレス等を記録したアドレス帳、スケジュール帳、ＴｏＤｏ、メモ帳、及びインターネットの際のブックマーク等を保存し使用することができる。
【００４２】
また、操作部６１は、電話番号や文字の入力を行うための番号／文字入力キー６４、液晶画面６０に表示された内容を選択するためのカーソルを動かすカーソルキー６５、選択を確定する決定キー６６などが配設されている。更に、電子メールの送受信を行うためのメールキー６７、及び、インターネットに接続するためのインターネット接続キー６８なども配設されている（図７参照）。
【００４３】
尚、前記通信装置５７によりダウンロードしたプログラムはメモリ５９に保管され、ＣＰＵ５８により実行される。ユーザー５５は、起動させたプログラムを液晶画面６０に表示された画面を確認しつつ、操作部６１によってプログラムに対する各種操作を行う。
【００４４】
また、赤外線通信部６２は、メモリ５９に記憶された電子メール等の各種データ内容を別途携帯用小型プリンタ装置１により印刷する場合に、携帯用小型プリンタ装置１に対して各種データを送信する為のものである。送信するデータは、印刷データ、付加データ、書式設定データの３種類である。
この内、印刷データは、印刷対象となるデータであり、また、前記メモリ５９に記憶され、メモ帳、アドレス帳、メール、スケジュール、ＴｏＤｏ、ブックマークのＩｒＭＣ規格に準じたデータである。一方、付加データ及び書式設定データは、前記印刷対象となるＩｒＭＣ規格データの内、メールに関するデータにおいて記憶されている送信者メールアドレスに関連付けて設定されたデータである。付加データは、前記印刷データとしてメールに関するデータを印刷する際に、送信者メールアドレスが特定のアドレスであった場合に画像や文字列を付加して印刷を行うように設定されたデータである。更に、書式設定データは、前記印刷データとしてメールデータを印刷する際に、送信者メールアドレスが特定のアドレスであった場合に印刷を行う文字サイズや文字装飾等の印刷書式を新たに設定するデータである。尚、印刷データ及び付加データ、書式設定データの詳細については後述する。
また、ＩｒＭＣ（ＩｒＤＡ  Ｉｎｆｒａｒｅｄ  Ｍｏｂｉｌｅ  Ｃｏｍｍｕｎｉｃａｔｉｏｎ）とは、ＩｒＤＡの中でも特に携帯電話で使われることを想定した赤外線通信規格であり、携帯電話やＰＤＡとの間でアドレス帳等の個人データを交換する際に用いられる。
【００４５】
携帯用小型プリンタ装置１は、携帯電話１６から送信された印刷データ、付加データ及び書式設定データを赤外線通信部１７により受信し、印刷データが特にメールに関するデータである場合には、メールデータ内の送信者メールアドレスを確認する。そして、予め付加データ及び印刷書式設定データにより設定されたメールアドレスと一致した場合には、付加データに基づいて画像や文字列を追加し、また、印刷の書式を書式設定データに基づいて設定する。そして、データを付加し、又は書式が設定された印刷データに基づいてサーマルヘッド８及び駆動モータ２１により印刷を行い、印刷結果をユーザー５５に対して提供する。尚、携帯用小型プリンタ装置１のブロック図については図６を用いて既に説明したので、ここではその詳細は省略する。
【００４６】
また、ウェブサーバ５４は、携帯電話１６にインターネット回線等を通してデータを送信する通信装置７０と、携帯電話１６において実行させるデータ作成プログラム７１等の各アプリケーションソフトが格納されたソフトウェアデータベース７２とから構成されている。尚、データ作成プログラム７１については後に詳細に説明する。
【００４７】
従って、ユーザー５５は、携帯電話１６を介してウェブサーバ５６に接続し、サーバ内のソフトウェアデータベース７２内に格納されたデータ作成プログラム７１をダウンロードし、携帯電話１６のメモリ５９内に記憶させ、ＣＰＵ５８により実行させることが可能である。ここで、データ作成プログラム７１とは、携帯電話１６上で前記した付加データ及び書式設定データに関する設定事項を設定し、各データを作成する為のプログラムである。ユーザー５５は、ダウンロードしたデータ作成プログラム７１を携帯電話１６においてｉアプリ（登録商標）等により実行させ、付加データ及び書式設定データ（図１４〜図１６参照）を作成し、メールの印刷データとともに携帯用小型プリンタ装置１に送信する。携帯用小型プリンタは付加データ及び書式設定データに基づいて、前記印刷データに画像若しくは文字列を追加し、また、新たに書式を設定して印刷する。その結果、ユーザー５５は、メールが送信された相手によって印刷形式を変更してメールの内容を印刷することができる。
【００４８】
次に、携帯電話１６に記憶されたメモ帳、アドレス帳、メール、スケジュール、ＴｏＤｏ、ブックマーク等のデータからなるＩｒＭＣ規格に準じた印刷データ、及びこれら印刷データの内、特にメールに関するデータに対して画像や文字列を付加する付加データ及び書式を設定する書式設定データについて詳細に説明する。図９は印刷データにおけるＩｒＭＣ規格の主なオブジェクトフォーマット一覧について示した図である。
【００４９】
まず、印刷データに関して以下に説明する。図９に示すように、印刷データとして携帯電話１６より、携帯用小型プリンタ装置１に対して送られるＩｒＭＣ規格のデータは、「０：メモ帳」、「１：アドレス帳」、「２：メール」、「３：スケジュール」、「４：ＴｏＤｏ」、「５：ブックマーク」の携帯電話１６における各ネイティブアプリにより作成され、登録されたデータに関するものである。各ネイティブアプリにはそれぞれ印刷項目が１〜６個の範囲で設定されており、項目ごとに英字の文字列からなるプロパティが定められている。例えば、ネイティブアプリが「２：メール」であれば、「０：送信者メールアドレス」、「１：題名」、「２：時刻」、「３：メール本文」の４つの項目が設定されている。そして、それぞれの項目ごとにその項目の内容が併せてデータとして記録されている。
【００５０】
次に、前記ＩｒＭＣ規格の印刷データに関して具体例を上げて説明する。以下では、印刷データとして携帯電話１６より、携帯用小型プリンタ装置１に対して送られるＩｒＭＣ規格の印刷データである「０：メモ帳」、「１：アドレス帳」、「２：メール」、「３：スケジュール」、「４：ＴｏＤｏ」、「５：ブックマーク」の内、特に「２：メール」に関する印刷データに関して説明する。図１０はネイティブアプリが「２：メール」の場合におけるＩｒＭＣ規格の印刷データの一例を示した図、図１１は図１０の印刷データにおいて実際に印刷を行った印刷面の図である。
図１０に示すように、ＩｒＭＣ規格からなる印刷データは各項目を示す英字のプロパティとともに項目の内容を示すテキストデータが記録されている。そして、それらが数行〜数十行にわたって表示されることにより、その情報内容が記録されている。印刷データは、最も最上部の行７５に、ネイティブアプリ「２：メール」のデータが始まることを示す文字列「ＢＥＧＩＮ：ＶＭＳＧ」が記載される。また、略中央付近の行７６には、以下にメール本文の内容が示されることを示す「ＢＥＧＩＮ：ＶＢＯＤＹ」が記載される。そして、行７６以下に続いてメールデータの各内容が示される。
【００５１】
行７７は、「Ｔｏ：」に続いて当該メールの送信先のメールアドレス、即ちユーザー５５のメールアドレスが示される。また、行７８では「Ｆｒｏｍ：」に続いてメールの送信者メールアドレスが示される。行７９では「Ｓｕｂｊｅｃｔ：」に続いてメールの題名が示される。行８０では「Ｄａｔｅ：」に続いてメールの受信時刻が示される。行８１では「ＭＩＭＥ−Ｖｅｒｓｉｏｎ：」に続いてＭＩＭＥバージョンが表示される。行８２では「Ｃｏｎｔｅｎｔ−Ｔｙｐｅ：」に続いてメール本文がエンコード前にどのようなデータ型で記述されていたが示される。更に行８３では「Ｃｏｎｔｅｎｔ−Ｔｒａｎｓｆｅｒ−Ｅｎｃｏｄｉｎｇ：」に続いてエンコードの方式が示される。
そして、その行８３の下にメール本文の具体的内容８４が全角若しくは半角のテキストによって表記される。行８５では、メール本文のデータがここで終わることを示す「ＥＮＤ：ＶＢＯＤＹ」が記載される。そして、最終行８６においてにネイティブアプリ「２：メール」のデータが終了することを示す文字列「ＥＮＤ：ＶＭＳＧ」が記載される。
【００５２】
以上説明した図１０に示す印刷データに基づいて実際に印刷を行うと、図１１に示すようにプロパティを示す各英字、及びデータ形式、項目の種類を示す文字列は除かれ、必要な印刷項目（「０：送信者メールアドレス」、「１：題名」、「２：時刻」、「３：メール本文」図９参照）の内容のみが１件ごとに上から順に用紙４に印刷される。具体的には、上から送信者メールアドレス８８、題名８９、時刻９０、メール本文９１が同一の書式（デフォルトの印刷書式である「文字サイズ２４ドット」、「文字装飾ノーマル」、「左揃え」図１２参照）により印刷される。
【００５３】
一方、付加データは、前記メールの印刷データの項目「０：送信者メールアドレス」（具体的には図１０の印刷データ中、行７８）に示された送信者のメールアドレスが、特定のアドレスであった場合に画像若しくは文字列を付加して印刷するように設定されたデータである。また、書式設定データは、前記メールの印刷データの項目「０：送信者メールアドレス」に示された送信者のメールアドレスが、特定のアドレスであった場合に各印刷項目「０：送信者メールアドレス」、「１：題名」、「２：時刻」、「３：メール本文」（図９参照）を印刷する書式を新たに設定するデータである。
図１２は前記付加データ及び書式設定データにより設定される付加文字列、付加画像、及び印刷書式の設定事項一覧について示した図である。
【００５４】
図１２の付加データによる設定項目に示すように、メールが印刷される際には「０：メールアドレス」によって、先ず、送信者メールアドレスがどのメールアドレスであった場合に文字列及び画像を付加するかが定められる。即ち、印刷データの送信者メールアドレス（具体的には図１０の印刷データ中、行７８）が、付加データの「０：メールアドレス」に設定されたメールアドレスと一致した場合に文字列及び画像を付加する。
尚、「０：メールアドレス」はメールアドレスの全文に限らず、その一部のみでも良く（例えば＠より後のみ等）、一部分である場合には送信者メールアドレスにそのアドレス部分が含まれていた場合に文字列若しくは画像を付加する。それによって、例えば、同じメールサーバを使用している同じ会社の従業員からのメールにはすべて同じ文字列及び画像を付加することが可能であり、ユーザー５５は、印刷結果より、どこの会社の従業員からのメールであるのかを容易に判別することが可能になる。
【００５５】
そして、設定項目「１：文字列」により実際に付加される文字列が設定される。「２：文字サイズ」、「３：文字スタイル」、「４：印刷位置」により、付加される文字列の文字のサイズ、文字の装飾、及び印刷内容に対して文字列が付加される位置がそれぞれ設定される。
また、設定項目「５：画像データ」により実際に付加される画像データが選択される。画像データは携帯電話１６内に記録されているデータであり、予め記録されているデータの他、携帯電話１６に内蔵されたデジタルカメラ等により撮影した写真データや、通信装置５７によりサーバ等からダウンロードした画像データがある。尚、選択された画像データは、付加データとして各設定項目とともに携帯用小型プリンタ装置１に送信される。また、「６：印刷位置」により、前記選択された画像が印刷内容に対して付加される位置を設定する。
【００５６】
一方、メールが印刷される際には、書式設定データの「０：メールアドレス」によって、先ず、送信者メールアドレスがどのメールアドレスであった場合に書式の設定を行うかが定められる。即ち、印刷データの送信者メールアドレス（具体的には図１０の印刷データ中、行７８）が、書式設定データの「０：メールアドレス」に設定されたメールアドレスと一致した場合に書式の設定を行う。
尚、「０：メールアドレス」はメールアドレスの全文に限らず、その一部のみでも良く（例えば＠より後のみ等）、一部分である場合には送信者メールアドレスにそのアドレス部分が含まれていた場合に書式の設定を行う。それによって、例えば、同じメールサーバを使用している同じ会社の従業員からのメールにはすべて同じ書式によって印刷することが可能であり、ユーザー５５は、印刷結果より、どこの会社の従業員からのメールであるのかを容易に判別することが可能になる。
【００５７】
また、設定項目「１：印刷位置」により書式が設定される印刷項目（「０：送信者メールアドレス」、「１：題名」、「２：時刻」、「３：メール本文」）が選択される。そして、「２：文字サイズ」、「３：位置揃え」、「４：文字スタイル」により、設定される書式の具体的内容（文字のサイズ、文字の配置、文字の装飾）がそれぞれ設定される。
尚、「２：文字サイズ」、「３：位置揃え」、「４：文字スタイル」の各書式は、デフォルトの書式（文字サイズ２４ドット、左揃え、文字装飾ノーマル）が予め定められており、書式設定データにより書式が設定されなかった印刷項目に関しては、デフォルトの書式により印刷される。
【００５８】
そして、前記付加データ及び書式設定データは、携帯電話１６より赤外線データにより送信され、携帯用小型プリンタ装置１のデータバッファ５０に一旦格納される。その後、携帯用小型プリンタ装置１は、受信した付加データ及び書式設定データに基づいて図１３に示すような印刷設定テーブル５３の設定を行い、その印刷設定テーブル５３に従って印刷データの印刷を行う。また、印刷設定テーブル５３はＳＲＡＭ４３内に格納される（図６参照）。図１３は、携帯用小型プリンタ装置内に格納された付加データ及び書式設定データにより設定された印刷設定テーブル図である。
【００５９】
印刷設定テーブル５３は、図１３に示すように各設定番号（０〜）ごとに付加データ及び書式設定データに基づいた各設定内容が登録されている。
そして、各設定番号ごとにメールアドレスが設定され、更に「文／画／書」により、文字列を付加するか、画像を付加するか、書式を設定するかが定められている。また、「印刷位置」によって、文字列及び画像を付加する場合には付加する位置が定められ、書式を設定する場合には書式を設定する印刷項目が定められている。そして、「文字列／画像」には付加する文字列及び画像のデータが記憶され、「書式情報」には、付加される文字列及び画像の配置や書式等の詳細な設定が記憶される。
【００６０】
これらの印刷設定テーブル５３は、前記携帯電話１６より送信される付加データ及び書式設定データにより登録される他、予め携帯用小型プリンタ装置１に複数パターン登録しておくことも可能である。その際には、携帯電話１６を用いることにより、ユーザー５５は予め登録されている印刷設定テーブル５３を追加すること、消去すること、更に、新たに書き換えることによって元の設定を変更することが可能である。
【００６１】
次に、実際に携帯電話１６より携帯用小型プリンタ装置１に対して送信される付加データ及び書式設定データ、及び当該付加データ及び書式設定データにより実際印刷されるデータ印刷面について図１４乃至図１６により具体例をあげて説明する。ここで、以下に説明する付加データ及び書式設定データに基づいて印刷される元となるメールデータは、前記図１０に示したメールデータである。
【００６２】
先ず、図１４は図１０の印刷データに対して文字列を追加する付加データ、及び付加データにより文字列が追加された実際の印刷面の例を示す図である。
図１４に示すように、携帯電話１６より送信される付加データは複数行の指示コマンド列よりなり、これらの指示コマンド列により、携帯小型プリンタ装置１内の前記印刷設定テーブル５３（図１３参照）が設定される。以下、図１４の各指示コマンド列について詳細に説明する。
【００６３】
図１４に示す付加データの先頭の行９５においては、印刷設定テーブル５３の番号０の設定アドレス部に「ｓａｍｐｌｅ−ｎｅｔ＠ｓａｍｐｌｅ．ｃｏ．ｊｐ」を記憶することを示している（図１３参照）。続いて行９６においては、印刷設定テーブル５３の番号０のイメージ部に「ＡＢＣウェザーインフォメーション」の文字列を記憶し、印刷情報部の文字サイズ記憶部に「２４」を記憶し、文字スタイル記憶部に「ＢＯＬＤ」を記憶する。最後に行９７においては、番号０の印刷位置部に「ＨＥＡＤＥＲ」を記憶する。
【００６４】
そして、前記例１の付加データにより実際に印刷を行うと、用紙４の最上部であるヘッダー部に「ＡＢＣウェザーインフォメーション」からなる文字列９８が文字サイズ２４ドットで、且つボールド体により印刷される。
そして、その下方には通常の印刷項目（「０：送信者メールアドレス」、「１：題名」、「２：時刻」、「３：メール本文」図９参照）が上から順に用紙４に印刷される。具体的には、上から送信者メールアドレス８８、題名８９、時刻９０、メール本文９１が同一の書式（デフォルトの印刷書式である「文字サイズ２４ドット」、「文字装飾ノーマル」、「左揃え」図１２参照）により印刷される。
【００６５】
次に、図１５は図１０の印刷データに対して画像を追加する付加データ、及び付加データにより画像が追加された実際の印刷面の例を示す図である。
図１５に示すように、携帯電話１６より送信される付加データは複数行の指示コマンド列よりなり、これらの指示コマンド列により、携帯小型プリンタ装置１内の前記印刷設定テーブル５３（図１３参照）が設定される。以下、図１５の各指示コマンド列について詳細に説明する。
【００６６】
図１５に示す付加データの先頭の行９９においては、印刷設定テーブル５３の番号１の設定アドレス部に「ｓａｍｐｌｅ．ｃｏ．ｊｐ」を記憶することを示している（図１３参照）。続いて行１００においては、番号１の文字列／画像部に［イメージデータ（ＪＰＥＧの画像データ）］を記憶し、書式情報部に画像のデータ形式を示す「ＪＰＥＧ」を記憶する。最後に行１０１においては、番号１の印刷位置部に「ＦＯＯＴＥＲ」を記憶する。
【００６７】
そして、前記例２の付加データにより実際に印刷を行うと、先ず用紙４に通常の印刷項目（「０：送信者メールアドレス」、「１：題名」、「２：時刻」、「３：メール本文」図９参照）が上から順に用紙４に印刷される。具体的には、上から送信者メールアドレス８８、題名８９、時刻９０、メール本文９１が同一の書式（デフォルトの印刷書式である「文字サイズ２４ドット」、「文字装飾ノーマル」、「左揃え」図１２参照）により印刷される。そして、通常の印刷項目が印刷された後に、画像１０２が文章のフッター部に追加して印刷される。
【００６８】
次に、図１６は図１０の印刷データに対して書式を設定する書式設定データ、及び書式設定データにより書式が設定された実際の印刷面の例を示す図である。
図１６に示すように、携帯電話１６より送信される書式設定データは複数行の指示コマンド列よりなり、これらの指示コマンド列により、携帯小型プリンタ装置１内の前記印刷設定テーブル５３（図１３参照）が設定される。以下、図１６の各指示コマンド列について詳細に説明する。
【００６９】
図１６に示す付加データの先頭の行１０３においては、印刷設定テーブル５３の番号２の設定アドレス部に「ｓａｍｐｌｅ．ｃｏ．ｊｐ」を記憶することを示している（図１３参照）。続いて行１０４においては、番号２の書式情報部の文字サイズ記憶部に「２４」を記憶し、位置揃え記憶部に「ＣＥＮＴＥＲ」を記憶し、文字スタイル記憶部に「ＵＮＤＥＲＬＩＮＥ」と記憶する。そして、行１０５により、番号２の印刷位置部に「ＳＵＢＪＥＣＴ」を記憶する。
また、行１０６においては、印刷設定テーブル５３の番号３の設定アドレス部に「ｓａｍｐｌｅ．ｃｏ．ｊｐ」を記憶することを示している（図１３参照）。続いて行１０７においては、番号３の書式情報部の文字サイズ記憶部に「２４」を記憶し、文字スタイル記憶部に「ＩＴＡＬＩＣ」と記憶する。そして行１０８により、番号３の印刷位置部に「ＤＡＴＥ」を記憶する。
また、行１０９においては、印刷設定テーブル５３の番号４の設定アドレス部に「ｓａｍｐｌｅ．ｃｏ．ｊｐ」を記憶することを示している（図１３参照）。続いて行１１０においては、番号４の書式情報部の文字サイズ記憶部に「３２」を記憶し、行１１１により、番号４の印刷位置部に「ＢＯＤＹ」を記憶する。
【００７０】
そして、前記例３の付加データにより実際に印刷を行うと、先ず用紙４には送信者メールアドレス８８がデフォルトの書式により印刷され、その下に題名８９が文字サイズ２４ドットでセンタリングされ、且つアンダーラインが追加されて印刷される。そして、時刻９０が文字サイズ２４ドットでイタリック体により印刷される。最後に、メール本文９１が文字サイズ３２ドットで印刷される。
尚、書式設定データにより特に指定されなかった項目の書式に関しては、デフォルトの書式（「文字サイズ２４ドット」、「文字装飾ノーマル」、「左揃え」図１２参照）により印刷が行われる。
【００７１】
以上より、携帯用小型プリンタ装置１は、予め設定したメールアドレスに従って、特定の送信者メールアドレスのメールデータに対して画像や文字列を追加して印刷することが可能である。また、印刷される各項目の書式を変更することが可能である。従って、メールデータを印刷する際に、印刷結果を参照することによって、ユーザー５５は当該メールが送られた送り先の識別が瞬時に可能となり、そのデータ内容の把握も容易となる。
また、設定可能なメールアドレスは、メールアドレスの全文に限らず、その一部のみでも可能であるので（例えば＠より後のみ等）、例えば、同じメールサーバを使用している同じ会社の従業員からのメールに対しては、すべて同じ印刷形式によって印刷することが可能である。それにより、ユーザー５５は、印刷結果より、どこの会社の従業員からのメールであるのかを容易に判別することが可能になる。
【００７２】
次に、前記のように構成された印刷制御システムについて先ず、携帯用小型プリンタ装置１の動作について図１７乃至図２０に基づき説明する。これら図１７乃至図２０にフローチャートで示される各プログラムは、ＲＯＭ４２に記憶されており、ＣＰＵ４１により実行される。先ず、携帯用小型プリンタ装置１の基本制御プログラムに関して図１７を用いて説明する。図１７は、携帯用小型プリンタ装置１の基本制御プログラムのフローチャートである。
先ず、電源がオンされると、ステップ（以下、Ｓと略記する）１において各メモリ、バッファのクリア、各設定の初期化が行なわれる。初期化処理においては、印刷される書式のデフォルト値（「文字サイズ２４ドット」、「文字装飾ノーマル」、「左揃え」図１２参照）の取得についても行われる。そして、これらの印刷書式のデフォルト設定は、後に携帯電話１６により送信される書式設定データにより設定されなかった項目の印刷書式に関して、これらのデフォルト設定に基づいてＩｒＭＣ規格の印刷データに対する印刷が行われる。そして、各種の初期設定が行なわれた後、基本制御が開始される。
【００７３】
Ｓ２においては携帯用小型プリンタ装置１が外部より付加データに関する赤外線データ（図１４、図１５参照）を受信したか否かが判断される。付加データを受信した場合（Ｓ２：ＹＥＳ）には、受信された付加データに基づいて携帯用小型プリンタ装置１の設定を行う付加データ設定処理がなされる（Ｓ３）。一方、付加データが受信されなかった場合（Ｓ２：ＮＯ）には、Ｓ４へ移行する。尚、付加データ設定処理（Ｓ３）については、後に詳細に説明する。
【００７４】
続いて、Ｓ４においては携帯用小型プリンタ装置１が外部より書式設定データに関する赤外線データ（図１６参照）を受信したか否かが判断される。書式設定データを受信した場合（Ｓ４：ＹＥＳ）には、受信された書式設定データに基づいて携帯用小型プリンタ装置１の書式設定を行う印刷書式設定処理がなされる（Ｓ５）。一方、書式設定データが受信されなかった場合（Ｓ４：ＮＯ）には、Ｓ６へ移行する。尚、付加データ設定処理（Ｓ５）については、後に詳細に説明する。
【００７５】
更に、Ｓ６においては携帯用小型プリンタ装置１が外部より「０：メモ帳」、「１：アドレス帳」、「２：メール」、「３：スケジュール」、「４：ＴｏＤｏ」、「５：ブックマーク」の各ネイティブアプリにおけるＩｒＭＣ規格の印刷データ（図１０参照）を受信したか否かが判断される。印刷データを受信した場合（Ｓ６：ＹＥＳ）には、Ｓ７へ移行する。一方、印刷データが受信されなかった場合（Ｓ６：ＮＯ）、即ち、赤外線データとしていずれのデータも受信しなかった場合には、Ｓ２へと戻る。
【００７６】
Ｓ７では、受信した印刷データをデータバッファ５０に格納する。そして、Ｓ８において、格納された印刷データが「２：メール」に関する印刷データであるか否かが判断される。そして、「２：メール」に関するデータでなかった場合（Ｓ８：ＮＯ）には、格納されている「０：メモ帳」、「１：アドレス帳」、「３：スケジュール」、「４：ＴｏＤｏ」、「５：ブックマーク」の各ＩｒＭＣ規格の印刷データをテキストバッファ５１に格納し（Ｓ９）、デフォルトの印刷書式（「文字サイズ２４ドット」、「文字装飾ノーマル」、「左揃え」図１２参照）に従ってプリントバッファ５２に展開する（Ｓ１０）。
そして、プリントバッファ５２に展開されたデータに基づいて、用紙４に印刷を行う（Ｓ１１）。印刷が終了した後は各バッファのデータをクリアするとともにＳ２へと戻る。
【００７７】
一方、受信した印刷データがメールに関するデータである場合（Ｓ８：ＹＥＳ）には、前記Ｓ３の付加データ設定処理（図１８参照）及び前記Ｓ５の印刷書式設定処理（図１９参照）において印刷設定テーブル５３の設定登録がなされているか否かが判断される（Ｓ１２）。尚、前記Ｓ３及びＳ５による処理を行わなかった場合であっても、予め印刷設定テーブル５３に印刷設定が何パターンか登録されている場合も考えられる。
【００７８】
印刷設定登録がされていない場合（Ｓ１２：ＮＯ）には、データバッファ５０に格納されているメールの印刷データをテキストバッファ５１に格納し（Ｓ９）、デフォルトの印刷書式（「文字サイズ２４ドット」、「文字装飾ノーマル」、「左揃え」図１２参照）に従ってプリントバッファ５２に展開する（Ｓ１０）。
そして、プリントバッファ５２に展開されたデータに基づいて、用紙４に印刷を行う（Ｓ１１）。印刷が終了した後は各バッファのデータをクリアするとともにＳ２へと戻る。
【００７９】
一方、印刷設定登録がされている場合（Ｓ１２：ＹＥＳ）には、受信されたメールデータの送信者メールアドレス（具体的には図１０の印刷データ中、行７８）が、登録されている印刷設定テーブル５３（図１３参照）の設定アドレス部に登録されたメールアドレスのいずれかと一致するか否かが判断される（Ｓ１３）。尚、設定アドレス部に登録されたメールアドレスが一部のアドレスであった場合には、送信者メールアドレスがその一部のアドレスを含んでいるかが判断される（Ｓ１３）。
【００８０】
送信者メールアドレスが一致しなかった場合、若しくはメールアドレスに含まれていなかった場合（Ｓ１３：ＮＯ）には、データバッファ５０に格納されているメールの印刷データをテキストバッファ５１に格納し（Ｓ９）、デフォルトの印刷書式（「文字サイズ２４ドット」、「文字装飾ノーマル」、「左揃え」図１２参照）に従ってプリントバッファ５２に展開する（Ｓ１０）。
そして、プリントバッファ５２に展開されたデータに基づいて、用紙４に印刷を行う（Ｓ１１）。印刷が終了した後は各バッファのデータをクリアするとともにＳ２へと戻る。
【００８１】
一方、メールアドレスが一致した場合、若しくはメールアドレスが含まれていた場合（Ｓ１３：ＹＥＳ）には、登録された印刷設定テーブル５３に基づいて、印刷データに付加する画像や文字列を展開し、また印刷書式の設定を行う印刷設定展開処理がなされる（Ｓ１４）。尚、印刷設定展開処理（Ｓ１４）については、後に詳細に説明する。
【００８２】
その後、データバッファ５０に格納されているメールの印刷データをテキストバッファ５１に格納し（Ｓ９）、前記Ｓ１４の印刷設定展開処理において設定した書式に従ってプリントバッファ５２に展開する（Ｓ１０）。最後に、プリントバッファ５２に展開されたデータに基づいて、用紙４に印刷を行う（Ｓ１１）。尚、メールアドレスが一致した場合であっても、前記Ｓ１４の印刷設定展開処理において書式が設定されなかった印刷項目については、デフォルトの印刷書式（「文字サイズ２４ドット」、「文字装飾ノーマル」、「左揃え」図１２参照）に従ってプリントバッファ５２に展開する（Ｓ１０）。印刷が終了した後は各バッファのデータをクリアするとともにＳ２へと戻る。
【００８３】
続いて、前記Ｓ３の付加データ設定処理について図１８を参照しつつ説明する。図１８は付加データ設定処理プログラムのフローチャートである。
付加データ設定処理においては、先ずＳ２１で、受信された赤外線データをデータバッファ５０に格納する。
【００８４】
そして、受信した付加データがメールアドレス、若しくはメールアドレスの一部に関する設定情報（図１４中、行９５、及び図１５中、行９９）を含むか否かが判断される（Ｓ２２）。これらのメールアドレスは、受信されたメールデータの送信者メールアドレスと一致した場合、又は含まれる場合に、予め設定した画像や文字列を追加するものである。
メールアドレス情報を含む場合（Ｓ２２：ＹＥＳ）には、該当するメールアドレスを印刷設定テーブル５３の設定アドレス部（図１３参照）に記憶し（Ｓ２３）、Ｓ２４ヘ移行する。一方、メールアドレス情報が含まれない場合（Ｓ２２：ＮＯ）には、現状態のままでＳ２４ヘ移行する。
【００８５】
続いて、Ｓ２４では、受信した付加データが文字列に関する設定情報（図１４中、行９６）を含むか否かが判断される。この文字列に関する設定情報は、メールデータの内容を印刷する際に追加して印刷される文字情報である（図１４参照）。
文字列情報を含む場合（Ｓ２４：ＹＥＳ）には、該当する文字列情報を印刷設定テーブル５３の文字列／画像部（図１３参照）に記憶し（Ｓ２５）、Ｓ２６ヘ移行する。一方、文字列情報が含まれない場合（Ｓ２４：ＮＯ）には、現状態のままでＳ２６ヘ移行する。
【００８６】
続いて、Ｓ２６では、受信した付加データが画像に関する設定情報（図１５中、行１００）を含むか否かが判断される。この画像に関する設定情報は、メールデータの内容を印刷する際に追加して印刷される画像情報であり（図１５参照）、画像情報は携帯電話１６のメモリ５９に記録されているものである。
画像情報を含む場合（Ｓ２６：ＹＥＳ）には、該当する画像情報を印刷設定テーブル５３の文字列／画像部（図１３参照）に記憶し（Ｓ２７）、Ｓ２８ヘ移行する。一方、画像情報が含まれない場合（Ｓ２６：ＮＯ）には、現状態のままでＳ２８ヘ移行する。
【００８７】
続いて、Ｓ２８では、受信した付加データが印刷位置に関する設定情報（図１４中、行９７、及び図１５中、行１０１等）を含むか否かが判断される。この印刷位置に関する設定情報は、メールデータの内容を印刷する際に追加して印刷される文字列若しくは画像の印刷位置を指定する情報である。
印刷位置情報を含む場合（Ｓ２８：ＹＥＳ）には、該当する印刷位置情報を印刷設定テーブル５３の印刷位置部（図１３参照）に記憶し（Ｓ２９）、Ｓ３０ヘ移行する。一方、印刷位置情報が含まれない場合（Ｓ２８：ＮＯ）には、現状態のままでＳ３０ヘ移行する。
【００８８】
続いて、Ｓ３０では、受信した付加データが印刷書式に関する設定情報（図１４中、行９６、及び図１５中、行１００等）を含むか否かが判断される。この印刷書式に関する設定情報は、メールデータの内容を印刷する際に追加して印刷される文字列若しくは画像の印刷書式（文字サイズ、画像データ形式等）を指定する情報である。
印刷書式情報を含む場合（Ｓ３０：ＹＥＳ）には、該当する印刷書式情報を印刷設定テーブル５３の書式情報部（図１３参照）に記憶する（Ｓ３１）。書式情報は、文字列を付加する場合においては文字のサイズ及びスタイルに関する情報であり、画像を付加する場合においては画像のデータ形式（ＪＰＥＧ、ＢＭＰ等）に関する情報である。一方、印刷書式情報が含まれない場合（Ｓ３０：ＮＯ）には特に処理等されることなく戻る。
【００８９】
次に、前記Ｓ５の印刷書式設定処理について図１９を参照しつつ説明する。図１９は印刷書式設定処理プログラムのフローチャートである。
印刷書式設定処理においては、先ずＳ４１で、受信した赤外線データをデータバッファ５０に格納する。
【００９０】
そして、受信した書式設定データがメールアドレス、若しくはメールアドレスの一部に関する設定情報（図１６中、行１０３、行１０６、行１０９）を含むか否かが判断される（Ｓ４２）。これらのメールアドレスは、受信されたメールデータの送信者メールアドレスと一致した場合、又は含まれる場合に、メールの内容を新たに設定した書式により印刷を行うものである。
メールアドレス情報を含む場合（Ｓ４２：ＹＥＳ）には、該当するメールアドレスを印刷設定テーブル５３の設定アドレス部（図１３参照）に記憶し（Ｓ４３）、Ｓ４４ヘ移行する。一方、メールアドレス情報が含まれない場合（Ｓ４２：ＮＯ）には、現状態のままでＳ４４ヘ移行する。
【００９１】
続いて、Ｓ４４では、受信した書式設定データが設定項目に関する設定情報（図１６中、行１０５、行１０８、行１１１）を含むか否かが判断される。この設定項目に関する設定情報は、メールデータの内容を印刷する際にメールデータを構成する複数の項目（「０：送信者メールアドレス」、「１：題名」、「２、時刻」、「３：メール本文」図９参照）の内、書式を設定する項目を選択するものである。
設定項目情報を含む場合（Ｓ４４：ＹＥＳ）には、該当する項目情報を印刷設定テーブル５３の印刷位置部（図１３参照）に記憶し（Ｓ４５）、Ｓ４６ヘ移行する。一方、設定項目情報が含まれない場合（Ｓ４４：ＮＯ）には、現状態のままでＳ２６ヘ移行する。
【００９２】
続いて、Ｓ４６では、受信した書式設定データが印刷書式に関する設定情報（図１６中、行１０４、行１０７、行１１０）を含むか否かが判断される。この印刷書式に関する設定情報は、前記Ｓ４５で記憶した印刷項目を印刷する際の具体的な書式に関する印刷書式情報である。
印刷書式情報を含む場合（Ｓ４６：ＹＥＳ）には、該当する印刷書式情報を印刷設定テーブル５３の書式情報部（図１３参照）に記憶する（Ｓ４７）。印刷書式情報は、各印刷項目を印刷する「文字サイズ」「位置揃え」「文字スタイル」を設定するものである（図１２参照）。一方、印刷書式情報が含まれない場合（Ｓ４６：ＮＯ）には特に処理等されることなく戻る。
【００９３】
続いて、前記Ｓ１４の印刷設定展開処理について図２０を参照しつつ説明する。図２０は印刷設定展開処理プログラムのフローチャートである。
印刷設定展開処理においては、先ず、前記Ｓ３において受信した付加データに基づく印刷文字列登録がなされているか否かが判断される（Ｓ５１）。即ち、前記Ｓ２５において、印刷設定テーブル５３の文字列／画像部に文字列が記憶され登録された場合（Ｓ５１：ＹＥＳ）には、登録された文字列が、同じく印刷情報部に登録された書式及び印刷位置に基づいてプリントバッファに展開される（Ｓ５２）。一方、印刷文字列登録がなかった場合（Ｓ５１：ＮＯ）には、Ｓ５３へ移行する。
【００９４】
次に、Ｓ５３で、前記Ｓ３において受信した付加データに基づく印刷画像登録がなされているか否かが判断される。即ち、前記Ｓ２７において、印刷設定テーブル５３の文字列／画像部に画像が記憶され登録された場合（Ｓ５３：ＹＥＳ）には、登録された画像が、同じく印刷情報部に登録された書式及び印刷位置に基づいてプリントバッファに展開される（Ｓ５４）。一方、印刷文字列登録がなかった場合（Ｓ５３：ＮＯ）には、Ｓ５５へ移行する。
【００９５】
次に、Ｓ５５で、前記Ｓ５において受信した書式設定データに基づく印刷書式登録がなされているか否かが判断される。即ち、前記Ｓ５において、印刷設定テーブル５３の印刷位置部及び印刷情報部に書式が記憶され登録された場合（Ｓ５５：ＹＥＳ）には、登録された書式に基づいて印刷書式が設定される（Ｓ５６）そして、設定された印刷書式に従って前記Ｓ１０で印刷データがプリントバッファ５２に展開され、印刷される（Ｓ１１）。
【００９６】
次に、携帯電話１６の動作について図２１乃至図２３に基づき説明する。これら図２１乃至図２３にフローチャートで示される各プログラムは携帯電話１６が備えているＲＯＭやメモリ５９に記憶されており、ＣＰＵ５８により実行される。先ず、携帯電話１６の基本制御プログラムに関して図２１を用いて説明する。図２１は、携帯電話の基本制御プログラムのフローチャートである。
先ず、電源がオンされると、Ｓ６１において各メモリのクリア等の初期化処理が行なわれる。そして、各種の初期設定が行なわれた後、基本制御が開始される。
【００９７】
Ｓ６２においては、赤外線通信部６２により携帯用小型プリンタ装置１に対して赤外線データの送信を行ったかどうか判断され、送信を行った場合（Ｓ６２：ＹＥＳ）にはユーザー５５が選択したデータ（「メモ帳」、「アドレス帳」、「メール」、「スケジュール」、「ＴｏＤｏ」、「ブックマーク」の印刷データいずれか、若しくは複数）について全件送信する（Ｓ６３）。一方、赤外線データの送信を行わない場合（Ｓ６２：ＮＯ）には、Ｓ６４へ移行する。
【００９８】
Ｓ６４においては、ユーザー５５が携帯電話１６の操作部６１により何らかのキー入力が行われたか否かが判断される。キー入力がされない場合（Ｓ６４：ＮＯ）には、前記Ｓ６２ヘ戻る一方、キー入力された場合にはＳ６５に移行する。
【００９９】
Ｓ６５では、前記キー入力により、メールデータに文字列や画像を付加して印刷する為の付加データの作成を行うかが判断される。具体的には、インターネット回線等を介してウェブサーバ５６よりダウンロードしたデータ作成プログラム７１を実行して付加データに関する設定を行ったか否かが判断される（図８参照）。付加データの作成を行う場合（Ｓ６５：ＹＥＳ）には、Ｓ６６で付加データ作成処理を行った後、Ｓ６２へと戻る。尚、付加データ作成処理（Ｓ６６）については、後に詳細に説明する。
【０１００】
続いて、Ｓ６７では、前記キー入力によりメールデータの各項目を印刷する書式を設定する為の書式設定データの作成を行うかが判断される。具体的には、インターネット回線等を介してウェブサーバ５６よりダウンロードしたデータ作成プログラム７１を実行して書式設定データに関する設定を行ったか否かが判断される（図８参照）。書式設定データの作成を行う場合（Ｓ６７：ＹＥＳ）には、Ｓ６８で書式設定データ作成処理を行った後、Ｓ６２へと戻る。尚、書式設定データ作成処理（Ｓ６８）については、後に詳細に説明する。
【０１０１】
一方、キー入力により書式設定データの作成についても行わない場合（Ｓ６７：ＮＯ）には、入力されたキーに対応する他の処理、例えば、電話番号の入力、メールの作成等が行なわれた（Ｓ６９）後、Ｓ６２に戻る。
【０１０２】
続いて、前記Ｓ６６の付加データ作成処理について図２２を参照しつつ説明する。図２２は付加データ作成処理プログラムのフローチャートである。
先ず、Ｓ７１においては、ユーザー５５が携帯電話１６の操作部６１により何らかのキー入力が行われたか否かが判断される。キー入力がされない場合（Ｓ７１：ＮＯ）には、キー入力されるまで待機する一方、キー入力された場合（Ｓ７１：ＹＥＳ）にはＳ７２に移行する。
【０１０３】
次に、入力されたキーが決定キー６６であるかが判断され（Ｓ７２）、決定キー６６でない場合（Ｓ７２：ＮＯ）には、他のキーにより付加データの作成がなされる。
付加データの作成においては、先ず、文字列及び画像を付加する対象となる送信者メールアドレス及び、アドレスの一部を番号／文字入力キー６４により入力して設定する。更に、文字列の付加を希望する場合には文字列を同様に番号／文字入力キー６４により入力して設定し、更に、文字列の書式をカーソルキー６５、決定キー６６等で選択する。また、画像の付加を希望する場合には携帯電話１６に保存されている画像から任意の画像を選択し、その配置をカーソルキー６５、決定キー６６等で選択する（Ｓ７３）。
【０１０４】
また、決定キー６６である場合（Ｓ７２：ＹＥＳ）には、前記Ｓ７３で設定した付加データの設定事項を確認するとともに、赤外線通信部６２により携帯用小型プリンタ装置１に対して作成した付加データを送信する。
ここで図２４は、前記Ｓ７３において携帯電話により作成する付加データの各設定項目を設定する際の操作例を示した説明図である。
【０１０５】
図２４に示すように、付加データの設定をする際には、先ずインターネット回線等を通してウェブサーバ５４よりダウンロードしたデータ作成プログラム７１をｉアプリ（登録商標）等により起動させる。
【０１０６】
そして、データ作成プログラム７１中において付加データの作成を選択すると、液晶画面６０には付加データの各設定項目（「アドレス入力」、「文字列入力」、「文字サイズ設定」、「文字スタイル設定」、「文字列印刷位置設定」、「画像選択」、「画像印刷位置設定」）が順に並んで表示された第１設定画面１１０が表示される。
液晶画面６０中には現在ユーザー５５が選択している設定項目を示す為のカーソル１１１が表示されている。カーソル１１１は、カーソルキー６５（図７参照）により自由に上下に移動させることができ、設定する項目の選択が可能である。
【０１０７】
そして、第１設定画面１１０により、設定を希望する項目にカーソル１１１を合わせた後、決定キー６６を押すと各設定項目の入力及び選択が可能である。
即ち、「アドレス入力」、「文字列入力」においては、番号／文字入力キー６４によりメールアドレス及び文字列を直接入力することが可能である。
一方、「文字サイズ設定」、「文字スタイル設定」、「文字列印刷位置設定」、「画像選択」、「画像印刷位置設定」においては、予め決められた複数の選択肢の中から希望する設定を選択すること出来る。選択する際には、カーソルキー６５の上下で現在ユーザー５５が選択している設定内容を示す為のカーソル１１２を移動させ、決定キー６６により決定する。尚、「画像選択」に関しては、現在携帯電話１６のメモリ５９内に記録されている画像データより選択が可能となっている。画像データとしては、予め記録されているデータの他、携帯電話１６に内蔵されたデジタルカメラ等により撮影した写真データや、通信装置５７によりサーバ等からダウンロードした画像データがある。
以上操作により、ユーザー５５は、付加データの各設定を行うことが出来る。
【０１０８】
次に、前記Ｓ６８の書式設定データ作成処理について図２３を参照しつつ説明する。図２３は書式設定データ作成処理プログラムのフローチャートである。
先ず、Ｓ８１においては、ユーザー５５が携帯電話１６の操作部６１により何らかのキー入力が行われたか否かが判断される。キー入力がされない場合（Ｓ８１：ＮＯ）には、キー入力されるまで待機する一方、キー入力された場合（Ｓ８１：ＹＥＳ）にはＳ８２に移行する。
【０１０９】
次に、入力されたキーが決定キー６６であるかが判断され（Ｓ８２）、決定キー６６でない場合（Ｓ８２：ＮＯ）には、他のキーにより書式設定データの作成がなされる。
書式設定データの作成においては、先ず、書式を設定する対象となる送信者メールアドレス及び、アドレスの一部を番号／文字入力キー６４により入力して設定する。そして、書式を設定する印刷項目、及び書式の形式をカーソルキー６５、決定キー６６等で選択する。
【０１１０】
また、決定キー６６である場合（Ｓ８２：ＹＥＳ）には、前記Ｓ８３で設定した書式設定データの設定事項を確認するとともに、赤外線通信部６２により携帯用小型プリンタ装置１に対して作成した書式設定データを送信する。
ここで図２５は、前記Ｓ８３において携帯電話により作成する書式設定データの各設定項目を設定する際の操作例を示した説明図である。
【０１１１】
図２５に示すように、書式設定データの設定をする際には、先ずインターネット回線等を通してウェブサーバ５４よりダウンロードしたデータ作成プログラム７１をｉアプリ（登録商標）等により起動させる。
【０１１２】
そして、データ作成プログラム７１中において書式の設定を選択すると、液晶画面６０には書式設定データの各設定項目（「アドレス入力」、「印刷項目選択」、「文字サイズ設定」、「位置揃え設定」、「文字スタイル設定」）が順に並んで表示された第２設定画面１１４が表示される。
液晶画面６０中には現在ユーザー５５が選択している設定項目を示す為のカーソル１１５が表示されている。カーソル１１５は、カーソルキー６５（図７参照）により自由に上下に移動させることができ、設定する項目の選択が可能である。
【０１１３】
続いて、第２設定画面１１４により、設定を希望する項目にカーソル１１５を合わせた後、決定キー６６を押すと各設定項目の入力及び選択が可能である。
即ち、「アドレス入力」においては、番号／文字入力キー６４によりメールアドレスを直接入力することが可能である。
一方、「印刷項目選択」、「文字サイズ設定」、「位置揃え設定」、「文字スタイル設定」においては、予め決められた複数の選択肢の中から希望する設定を選択すること出来る。選択する際には、カーソルキー６５の上下で現在ユーザー５５が選択している設定内容を示す為のカーソル１１５を移動させ、決定キー６６により決定する。
以上操作により、ユーザー５５は、書式設定データの各設定を行うことが出来る。
【０１１４】
以上より、ユーザー５５はメールデータを携帯用小型プリンタ装置１により印刷する際に、特定の送信者より送信されたメールに対しては、ユーザー５５の希望する画像及び文字列を追加して印刷することが可能である。また、書式を変更して印刷することも可能である。従って、印刷された付加データ及び印刷された書式を目安にすることにより、印刷されたメールが誰から送信されたメールであるかを容易に判断することが可能である。更に、追加する文字列、画像及び書式の各設定は携帯電話１６により容易に行うことが可能である。
【０１１５】
尚、本実施形態においては、付加データ及び書式設定データを作成する際には、前記図２１乃至図２５に示したように携帯電話１６においてデータ作成プログラム７１を起動させ、携帯電話１６上でユーザー５５が各種データの設定を行うことにより作成しているが、これらの付加データ及び書式設定データ作成をウェブサーバ上で行うようにすることも可能である。
以下に、他の実施形態として、ウェブザーバ上で付加データ及び書式設定データの作成を行う例について説明する。図２６は他の実施形態における前記Ｓ６６の付加データ作成処理プログラムのフローチャートである。
【０１１６】
他の実施形態における付加データ作成処理は、先ず、Ｓ９１で、携帯電話１６の通信装置５７により、インターネット回線を介してウェブサーバ５６へアクセスする。
次に、付加データの設定をユーザー５５自ら行うか否かがＳ９２により判断される。付加データの設定を行う場合（Ｓ９２：ＹＥＳ）には、ウェブサーバ５６上で、文字列及び画像を付加する対象となる送信者メールアドレス及び、アドレスの一部を番号／文字入力キー６４により入力して設定する。更に、文字列の付加を希望する場合には文字列を同様に番号／文字入力キー６４により入力して設定し、文字列の書式をカーソルキー６５、決定キー６６等で選択する。また、画像の付加を希望する場合にはウェブサーバ５６に別途保存されている画像から任意の画像を選択し、その配置をカーソルキー６５、決定キー６６等で選択する（Ｓ９３、図２４参照）。
【０１１７】
続いて、Ｓ９４で付加データに関する設定が完了したか否か判断され、設定が完了した場合（Ｓ９４：ＹＥＳ）にはＳ９６へ移行する。一方、設定が完了していない場合（Ｓ９４：ＮＯ）には、継続して設定を行う。
【０１１８】
また、付加データの設定を行わない場合（Ｓ９２：ＮＯ）には、予め作成されている複数の定型付加データより付加データを選択することができる（Ｓ９５）。定型付加データは、付加データの各設定項目（「設定アドレス」、「付加文字列」、「文字列の文字サイズ」、「文字列の文字スタイル」、「文字列印刷位置設定」、「画像選択」、「画像印刷位置設定」）が複数パターンの組み合わせにより予め設定され、ウェブサーバ５６上で保存されているものである。ユーザー５５が希望する定型付加データを選択した後にＳ９６へ移行する。ユーザー５５は定型付加データを利用することにより、詳細な設定を自ら行うことなく付加データの作成を行うことができ、ユーザー５５の負担を軽減させることができる。
【０１１９】
そして、Ｓ９６では、前記Ｓ９３により設定し、若しくは前記Ｓ９５により選択することにより作成した付加データを通信装置５７によりウェブサーバ５６から携帯電話１６にダウンロードする。ダウンロードした付加データはメモリ５９内に保管される。
【０１２０】
Ｓ９７では、ユーザー５５が携帯電話１６の決定キー６６を操作したか否かが判断され、決定キー６６が操作されない場合（Ｓ９７：ＮＯ）には、操作されるまで待機する一方、キー操作された場合（Ｓ９７：ＹＥＳ）にはＳ９８で、前記Ｓ９６でダウンロードしたデータを赤外線で携帯用小型プリンタ装置１へと送信する。
そして、携帯用小型プリンタ装置１は送信された付加データに基づいて印刷データの印刷を行う（Ｓ１１）。
【０１２１】
次に、他の実施形態として、ウェブザーバ上で書式設定データの作成を行う例について説明する。図２７は他の実施形態における前記Ｓ６８の書式設定データ作成処理プログラムのフローチャートである。
【０１２２】
他の実施形態における書式設定データ作成処理は、先ず、Ｓ１０１で、携帯電話１６の通信装置５７により、インターネット回線を介してウェブサーバ５６へアクセスする。
次に、書式設定データの書式設定をユーザー５５自ら行うか否かがＳ１０２により判断される。書式設定データの設定を行う場合（Ｓ１０２：ＹＥＳ）には、ウェブサーバ５６上で、文字列及び画像を付加する対象となる送信者メールアドレス及び、アドレスの一部を番号／文字入力キー６４により入力して設定する。そして、書式を設定する印刷項目、及び書式の形式をカーソルキー６５、決定キー６６等で選択する。（Ｓ１０３、図２５参照）。
【０１２３】
続いて、Ｓ１０４で書式設定データに関する設定が完了したか否か判断され、設定が完了した場合（Ｓ１０４：ＹＥＳ）にはＳ１０６へ移行する。一方、設定が完了していない場合（Ｓ１０４：ＮＯ）には、継続して設定を行う。
【０１２４】
また、書式設定データの設定を行わない場合（Ｓ１０２：ＮＯ）には、予め作成されている定型印刷書式より書式設定データを選択することができる（Ｓ１０５）。定型印刷書式は、書式設定データの各設定項目（「アドレス入力」、「印刷項目選択」、「文字サイズ設定」、「位置揃え設定」、「文字スタイル設定」）が複数パターンの組み合わせにより予め設定され、ウェブサーバ５６上で保存されているものである。ユーザー５５が希望する定型印刷書式を選択した後にＳ１０６へ移行する。ユーザー５５は定型印刷書式を利用することにより、詳細な設定を自ら行うことなく書式設定データの作成を行うことができ、ユーザー５５の負担を軽減させることができる。
【０１２５】
そして、Ｓ１０６では、前記Ｓ１０３により設定し、若しくは前記Ｓ１０５により選択することにより作成した書式設定データを通信装置５７によりウェブサーバ５６から携帯電話１６にダウンロードする。ダウンロードした書式設定データはメモリ５９内に保管される。
【０１２６】
Ｓ１０７では、ユーザー５５が携帯電話１６の決定キー６６を操作したか否かが判断され、決定キー６６が操作されない場合（Ｓ１０７：ＮＯ）には、操作されるまで待機する一方、キー操作された場合（Ｓ１０７：ＹＥＳ）にはＳ１０８で、前記Ｓ１０６でダウンロードしたデータを赤外線で携帯用小型プリンタ装置１へと送信する。
そして、携帯用小型プリンタ装置１は送信された書式設定データに基づいて印刷データの印刷を行う（Ｓ１１）。
【０１２７】
以上にて説明したとおり本実施形態に係る印刷制御システムでは、携帯電話１６に格納したデータ作成プログラム７１によって、各メールデータを印刷する際に送信者メールアドレスが特定のアドレスであった場合に文字列や画像を付加する付加データの作成を行う（Ｓ６６）。また、送信者メールアドレスが特定のアドレスであった場合に各印刷項目の書式を設定する書式設定データの作成を行う（Ｓ６８）。そして、作成した付加データ及び書式設定データを携帯用小型プリンタ装置１に対して送信し（Ｓ７４、Ｓ８４）、携帯用小型プリンタ装置１において、送信された付加データ及び書式設定データに基づいて文字列、画像を付加するとともに（Ｓ５２、Ｓ５４）、書式を変更して（Ｓ５６）印刷を行う（Ｓ１１）ので、ユーザー５５は、メールデータが印刷された用紙４を見る際に、誰から送信されたメールであるのかを容易に判断することが可能である。従って、ユーザー５５は印刷されたメールデータの把握及び整理を容易に行うことができる。また、メールアドレスの一部のみが一致した場合に書式等を変更することも可能であるので、同じメールサーバを使用している同じ会社の従業員からのメールに対しては、すべて同じ印刷形式によって印刷することが可能である。それにより、ユーザー５５は、印刷結果より、どの会社の従業員からのメールであるのかを容易に判別することができる。
【０１２８】
尚、本発明は前記実施例に限定されるものではなく、本発明の要旨を逸脱しない範囲内で種々の改良、変形が可能であることは勿論である。
例えば、本実施形態においては、メールデータの送信者メールアドレスが予め設定したメールアドレスに一致した場合、若しくはアドレスを含む場合に画像や文字列を付加等することとしているが、メールデータの題名や時刻に基づいて画像や文字列を付加等することも可能である。即ち、題名に指定したキーワードが含まれているメールや、指定した時間内に送信されたメールに対して画像や文字列を付加等するように設定することも可能である。
【０１２９】
また、本実施形態においては、各ネイティブアプリにおける印刷データの内、メールに関するデータを印刷する際に画像や文字列を付加等することとしているが、他のネイティブアプリ「０：メモ帳」、「１：アドレス帳」、「３：スケジュール」、「４：ＴｏＤｏ」、「５：ブックマーク」（図９参照）のデータを印刷する際に特定の項目（例えば、「１：アドレス帳」における「３：電話番号」、「５：ブックマーク」における「０：ＵＲＬ」等）に基づいて画像や文字列を付加等するように設定することも可能である。
【図面の簡単な説明】
【０１３０】
【図１】本実施形態に係る携帯用小型プリンタ装置の外観を示す斜視図である。
【図２】本実施形態に係る携帯用小型プリンタ装置の側面図である。
【図３】用紙カセットの斜視図である。
【図４】本実施形態に係る携帯用小型プリンタ装置の内部構造を示す正面図である。
【図５】図４の線Ａ−Ａで携帯用小型プリンタ装置を切断した矢視断面図である。
【図６】本実施形態に係る携帯用小型プリンタ装置１の制御ブロック図である。
【図７】本実施形態に係る印刷制御システムの実施例を示す模式図である。
【図８】本実施形態に係る印刷制御システムのブロック図である。
【図９】印刷データにおけるＩｒＭＣ規格の主なオブジェクトフォーマット一覧について示した図である。
【図１０】ネイティブアプリがメールの場合におけるＩｒＭＣ規格の印刷データの一例を示した図である。
【図１１】図１０の印刷データにおいて実際に印刷を行った印刷面の図である。
【図１２】付加データ及び書式設定データにより設定される付加文字列、付加画像、及び印刷書式の設定事項一覧について示した図である。
【図１３】携帯用小型プリンタ装置内に格納された付加データ及び書式設定データにより設定された印刷設定テーブル図である。
【図１４】図１０の印刷データに対して文字列を追加する付加データ、及び付加データにより文字列が追加された実際の印刷面の例を示す図である。
【図１５】図１０の印刷データに対して画像を追加する付加データ、及び付加データにより画像が追加された実際の印刷面の例を示す図である。
【図１６】図１０の印刷データに対して書式を設定する書式設定データ、及び書式設定データにより書式が設定された実際の印刷面の例を示す図である。
【図１７】携帯用小型プリンタ装置の基本制御プログラムのフローチャートである。
【図１８】付加データ設定処理プログラムのフローチャートである。
【図１９】印刷書式設定処理プログラムのフローチャートである。
【図２０】印刷設定展開処理プログラムのフローチャートである。
【図２１】携帯電話の基本制御プログラムのフローチャートである。
【図２２】付加データ作成処理プログラムのフローチャートである。
【図２３】書式設定データ作成処理プログラムのフローチャートである。
【図２４】携帯電話により作成する付加データの各設定項目を設定する際の操作例を示した説明図である。
【図２５】携帯電話により作成する書式設定データの各設定項目を設定する際の操作例を示した説明図である。
【図２６】他の実施形態における付加データ作成処理プログラムのフローチャートである。
【図２７】他の実施形態における書式設定データ作成処理プログラムのフローチャートである。
【符号の説明】
【０１３１】
１                  携帯用小型プリンタ装置
４                  用紙
８                  サーマルヘッド
９                  プラテンローラ
１６                携帯電話
１７、６２          赤外線通信部
１８                ＵＳＢ端子
４１                携帯用小型プリンタ装置ＣＰＵ
５３                印刷設定テーブル
５６                ウェブサーバ
５７                通信装置
５８                携帯電話ＣＰＵ
６１                操作部
６５                カーソルキー
７１                データ作成プログラム
９８                文字列
１０２                画像
【図１】
2005227810.tif 000003
【図２】
2005227810.tif 000004
【図３】
2005227810.tif 000005
【図４】
2005227810.tif 000006
【図５】
2005227810.tif 000007
【図６】
2005227810.tif 000008
【図７】
2005227810.tif 000009
【図８】
2005227810.tif 000010
【図９】
2005227810.tif 000011
【図１０】
2005227810.tif 000012
【図１１】
2005227810.tif 000013
【図１２】
2005227810.tif 000014
【図１３】
2005227810.tif 000015
【図１４】
2005227810.tif 000016
【図１５】
2005227810.tif 000017
【図１６】
2005227810.tif 000018
【図１７】
2005227810.tif 000019
【図１８】
2005227810.tif 000020
【図１９】
2005227810.tif 000021
【図２０】
2005227810.tif 000022
【図２１】
2005227810.tif 000023
【図２２】
2005227810.tif 000024
【図２３】
2005227810.tif 000025
【図２４】
2005227810.tif 000026
【図２５】
2005227810.tif 000027
【図２６】
2005227810.tif 000028
【図２７】
2005227810.tif 000029